(57)【要約】【課題】マルチング作業時に刈草を円滑に搬送する。【解決手段】モーアデッキ２００は、刈草搬送筒１８が着脱可能な刈草搬送筒用開口部１８０と、ブレードの回転軌跡に沿って設けられた第１ガイド２２０と、刈草が搬送される第１ガイドに沿って設けられた左右一対の第１搬送経路２３０Ｌ、２３０Ｒと、合流する刈草が刈草搬送筒用開口部に向けて搬送される第２搬送経路２４０と、第２搬送経路と刈草搬送筒用開口部とを連通し刈草搬送筒側へ刈草を搬送するか、又はその連通を閉鎖すると共に第１搬送経路へ刈草を周回させるかの何れかに切り換えるための切り換え機構３００と、を有し、切り換え機構は、１）第２搬送経路と刈草搬送筒用開口部との連通を閉鎖する閉鎖部材本体３１０及び閉鎖部材先端部３２０と、２）連通が閉鎖された際、第２搬送経路から搬送されてくる刈草を左右方向に振り分けて左右一対の第１搬送経路へ案内する案内部材３３０とを有する。【選択図】図４
2014100124.tif 000002
【特許請求の範囲】
【請求項１】
回転しながら草を刈る左右一対のブレードと、
前記左右一対のブレードが回転可能に収納された、底面側が開放された箱形状のデッキ部と、を備えたモーアユニットであって、
前記デッキ部は、
前記デッキ部の後部の中央位置に設けられ、前記ブレードによる刈草を後方に搬送するための刈草搬送筒が着脱可能な刈草搬送筒用開口部と、
前記左右一対のブレードの外端の回転軌跡に沿って前記デッキ部の天面に設けられたガイドと、
前記左右一対のブレードの内の右側のブレードが平面視で反時計方向に回転し、左側の前記ブレードが平面視で時計方向に回転することにより刈り取られる刈草が搬送される、前記ガイドに沿って設けられた左右一対の第１搬送経路と、
前記左右一対の第１搬送経路から搬送され、合流する前記刈草が前記刈草搬送筒用開口部に向けて搬送される第２搬送経路と、
前記第２搬送経路と前記刈草搬送筒用開口部とを連通し前記刈草搬送筒側へ前記刈草を搬送するか、または、前記第２搬送経路と前記刈草搬送筒用開口部との連通を閉鎖すると共に前記第１搬送経路へ前記刈草を周回させるかの何れかに切り換えるための切り換え機構と、を有し、
前記切り換え機構は、１）前記デッキ部の天井部に回動可能に配置され、下方に回動することにより、前記第２搬送経路と前記刈草搬送筒用開口部との連通を閉鎖する閉鎖部材と、２）前記連通が閉鎖された際、前記第２搬送経路から搬送されてくる前記刈草を左右方向に振り分けて前記左右一対の第１搬送経路へ案内する、前記閉鎖部材の先端側に取り付けられた案内部材とを有することを特徴とする、モーアユニット。
【請求項２】
前記案内部材が前記刈草を左右方向に振り分けて前記左右一対の第１搬送経路へ案内する位置にある状態において、前記案内部材は、平面視で、頂部が前方側に突き出した山形形状であることを特徴とする、請求項１に記載のモーアユニット。
【請求項３】
前記閉鎖部材は、１）前記天井部に回動可能に取り付けられた板状の閉鎖部材本体と、２）前記閉鎖部材本体の先端部に回動可能に取り付けられた板状の閉鎖部材先端部とを有し、
前記案内部材は、前記閉鎖部材先端部の一方の表面に取り付けられており、
前記連通が閉鎖されている状態では、前記閉鎖部材本体は降下して、前記閉鎖部材先端部は展開されて前記案内部材が下方に移動しており、
前記連通の閉鎖が解除されている状態では、前記閉鎖部材本体は上昇して、前記閉鎖部材先端部は上方へ折り畳まれていることを特徴とする、請求項１または２に記載のモーアユニット。
【請求項４】
前記第２搬送経路には、前記ガイドが形成されておらず、
前記第２搬送経路の左右両側には、前記天面を基準としたときの高さが、前記ガイドの前記天面からの高さより低い左右一対の側壁が前記天面に設けられていることを特徴とする、請求項１〜３の何れかに記載のモーアユニット。
【請求項５】
前記第２搬送経路と前記刈草搬送筒用開口部との連接部分には、平面視で頂部が前方側に突き出した山形形状であって、前記第２搬送経路側から前記刈草搬送筒用開口部側に向けて上り勾配である傾斜面を有する連接部材が設けられていることを特徴とする、請求項１〜４の何れかに記載のモーアユニット。
【発明の詳細な説明】
【技術分野】
【０００１】
本発明は、乗用草刈機の前部に配置される、マルチング機能付きモーアユニット（草刈装置）に関する。
【背景技術】
【０００２】
従来、草刈や芝刈り作業を行うモーアユニットを走行車体の前側に連結した所謂フロントモーア型の乗用草刈機において、モーアユニットで刈り取った刈草をシュータを経由してブロアーに送られ、更に、ブロアーから刈草を収容するコレクターに空気搬送されるものが知られている（例えば、特許文献１参照。）。
【０００３】
即ち、特許文献１の草刈機では、モーアユニット内には、左右一対のブレードが配置されており、平面視で左右一対のブレードの内、右側のブレードが反時計方向に回転し、左側のブレードが時計方向に回転する構成である（特許文献１のＦＩＧ．１参照）。このブレードの回転により草が刈り取られて、その刈り取られた刈草がモーアユニット内の後部に一端が連結されたシュータから、ブロアーによる吸引力でコレクターに搬送される構成である。
【０００４】
また、マルチング作業時には、シュータに通じる搬送路を遮蔽板（特許文献１のＦＩＧ．２の符号２０参照）を下方に回動して塞ぐことにより、ブレードの回転により刈り取られた刈草を再びカッティングチャンバー（特許文献１のＦＩＧ．１の符号８参照）に周回させる構成である
【先行技術文献】
【特許文献】
【０００５】
【特許文献１】ＥＰ１４６９７１４公報
【発明の概要】
【発明が解決しようとする課題】
【０００６】
しかしながら、特許文献１に示す草刈装置では、マルチング作業時において、遮蔽板を下方に回動させてシュータに通じる搬送路を閉塞すると、刈草の流れは、シュータに通じる搬送路の下流側の左右両側に垂直に立設された側壁（特許文献１のＦＩＧ．１、ＦＩＧ．２の符号１８参照）に突き当たり停滞して、カッティングチャンバー側にスムーズに搬送出来ないという問題があった。
【０００７】
本発明の目的は、従来の草刈機の上記の課題を考慮し、マルチング作業時において、刈草をより円滑に搬送出来るモーアユニットを提供することを目的とする。
【課題を解決するための手段】
【０００８】
上記目的を達成するために、第１の本発明は、
回転しながら草を刈る左右一対のブレードと、
前記左右一対のブレードが回転可能に収納された、底面側が開放された箱形状のデッキ部と、を備えたモーアユニットであって、
前記デッキ部は、
前記デッキ部の後部の中央位置に設けられ、前記ブレードによる刈草を後方に搬送するための刈草搬送筒が着脱可能な刈草搬送筒用開口部と、
前記左右一対のブレードの外端の回転軌跡に沿って前記デッキ部の天面に設けられたガイドと、
前記左右一対のブレードの内の右側のブレードが平面視で反時計方向に回転し、左側の前記ブレードが平面視で時計方向に回転することにより刈り取られる刈草が搬送される、前記ガイドに沿って設けられた左右一対の第１搬送経路と、
前記左右一対の第１搬送経路から搬送され、合流する前記刈草が前記刈草搬送筒用開口部に向けて搬送される第２搬送経路と、
前記第２搬送経路と前記刈草搬送筒用開口部とを連通し前記刈草搬送筒側へ前記刈草を搬送するか、または、前記第２搬送経路と前記刈草搬送筒用開口部との連通を閉鎖すると共に前記第１搬送経路へ前記刈草を周回させるかの何れかに切り換えるための切り換え機構と、を有し、
前記切り換え機構は、１）前記デッキ部の天井部に回動可能に配置され、下方に回動することにより、前記第２搬送経路と前記刈草搬送筒用開口部との連通を閉鎖する閉鎖部材と、２）前記連通が閉鎖された際、前記第２搬送経路から搬送されてくる前記刈草を左右方向に振り分けて前記左右一対の第１搬送経路へ案内する、前記閉鎖部材の先端側に取り付けられた案内部材とを有することを特徴とする、モーアユニットである。
【０００９】
これにより、マルチング作業時において、第２搬送経路を搬送された刈草を、左右一対の第１搬送経路へ再度案内することで、刈草がモーアデッキ内を複数回に亘り周回することが出来るので、草を細かく裁断出来る。また、マルチング作業時において、案内部材が、第２搬送経路から搬送されてくる刈草を左右方向に振り分けるので、刈草を左右一対の第１搬送経路へより円滑に搬送出来る。
【００１０】
また、第２の本発明は、
前記案内部材が前記刈草を左右方向に振り分けて前記左右一対の第１搬送経路へ案内する位置にある状態において、前記案内部材は、平面視で、頂部が前方側に突き出した山形形状であることを特徴とする、上記第１の本発明のモーアユニットである。
【００１１】
これにより、マルチング作業時において、案内部材が、第２搬送経路から搬送されてくる刈草を左右方向に振り分け易く、刈草を左右一対の第１搬送経路へより円滑に搬送出来る。
【００１２】
また、第３の本発明は、
前記閉鎖部材は、１）前記天井部に回動可能に取り付けられた板状の閉鎖部材本体と、２）前記閉鎖部材本体の先端部に回動可能に取り付けられた板状の閉鎖部材先端部とを有し、
前記案内部材は、前記閉鎖部材先端部の一方の表面に取り付けられており、
前記連通が閉鎖されている状態では、前記閉鎖部材本体は降下して、前記閉鎖部材先端部は展開されて前記案内部材が下方に移動しており、
前記連通の閉鎖が解除されている状態では、前記閉鎖部材本体は上昇して、前記閉鎖部材先端部は上方へ折り畳まれていることを特徴とする、上記第１または、第２の本発明のモーアユニットである。
【００１３】
これにより、マルチング作業モードと、集草作業モードを簡単な操作により切り替えることが出来る。また、集草作業モード時においては、案内部材が設けられた閉鎖部材先端部が、閉鎖部材本体の先端部において上方側へ回動して折り畳まれるので、案内部材が退避位置に移動し、刈草の流れを遮ることがなく、より円滑に刈草搬送筒側に刈草が搬送される。
【００１４】
また、第４の本発明は、
前記第２搬送経路には、前記ガイドが形成されておらず、
前記第２搬送経路の左右両側には、前記天面を基準としたときの高さが、前記ガイドの前記天面からの高さより低い左右一対の側壁が前記天面に設けられていることを特徴とする、上記第１〜３の何れかの本発明のモーアユニットである。
【００１５】
これにより、集草作業モード時と、マルチング作業モード時の何れにおいても刈草を円滑に搬送出来る。
【００１６】
また、第５の本発明は、
前記第２搬送経路と前記刈草搬送筒用開口部との連接部分には、平面視で頂部が前方側に突き出した山形形状であって、前記第２搬送経路側から前記刈草搬送筒用開口部側に向けて上り勾配である傾斜面を有する連接部材が設けられていることを特徴とする、上記第１〜４の何れかの本発明のモーアユニットである。
【００１７】
これにより、集草作業モード時と、マルチング作業モード時の何れにおいても刈草を円滑に搬送出来る。
【発明の効果】
【００１８】
本発明によれば、マルチング作業時において、刈草をより円滑に搬送出来るモーアユニットを提供することが出来る。
【図面の簡単な説明】
【００１９】
【図１】本発明にかかる実施の形態１における乗用型草刈機の左側面図
【図２】本発明にかかる実施の形態１における乗用型草刈機に連結されたモーアユニットの構成を説明するための概略平面図
【図３】本実施の形態１におけるモーアユニットの概略左側面図
【図４】本実施の形態１におけるモーアユニットの一部断面（図２のＸ−Ｘ’断面）を含む概略左側面図
【図５】（ａ）本実施の形態１の乗用型草刈機の集草作業時における切り換え機構について、モーアデッキの右側を後方から視た状態を示す斜視図、（ｂ）マルチング作業時における切り換え機構について、モーアデッキの右側を後方から視た状態を示す斜視図
【図６】（ａ）本実施の形態１の乗用型草刈機の集草作業時における切り換え機構について、モーアデッキの左側の底面側を前方から後方に視た状態を示す斜視図、（ｂ）マルチング作業時における切り換え機構について、モーアデッキの左側の底面側を前方から後方に視た状態を示す斜視図
【図７】（ａ）本実施の形態のモーアユニットの概略平面図、（ｂ）図７（ａ）に示すモーアユニットの概略背面図
【図８】本実施の形態１のモーアデッキの後部中央付近を前方から視た状態を示す概略斜視図
【図９】本実施の形態１のモーアデッキの後部中央付近を前方から視た状態を示す概略斜視図
【発明を実施するための形態】
【００２０】
以下に、図面を参照しながら本発明のモーアユニットの一実施の形態について説明する。
【００２１】
（実施の形態１）
ここでは、図面を用いて、集草機能とマルチング機能の切り換え機構を有するモーアユニットを備えた乗用型草刈機について、その構成と動作を説明する。
【００２２】
図１は、本発明にかかる実施の形態１における乗用型草刈機の左側面図である。図２は、本実施の形態におけるモーアユニットの内部構造を示す概略平面図である。また、図３は、本実施の形態におけるモーアユニットの内部構造を示す概略左側面図であり、図４は、本実施の形態におけるモーアユニットの一部断面（図２のＸ−Ｘ’断面）を含む概略左側面図である。尚、図４では、説明の都合上、ブレードや、そのブレードを回転駆動するための動力伝達機構などの記載は省略した。
【００２３】
尚、本明細書において、前方向とは、草を刈る際の進行方向（矢印Ｆ参照）を前方向として示し、左方向とは、乗用型草刈機に作業者が乗って進行方向を見たときの左手方向（矢印Ｌ参照）、右方向とは、乗用型草刈機に作業者が乗って進行方向を見たときの右手方向（矢印Ｒ参照）を示す。また、上方向は、矢印Ｔで示す。
【００２４】
図１に示す通り、本実施の形態１の乗用型草刈機１００は、作業者が乗る走行車体１と、走行車体１の前側部下方にリンク機構のリフトアーム（図示省略）を介して連結されたフロント型のモーアユニット２とを備えている。
【００２５】
尚、モーアユニット２は、非作業走行時や点検時において、リフトアームにより上方にリフトアップされる構成である。
【００２６】
走行車体１は、左右一対の前輪３と、左右一対の後輪４を有し、走行車体１の後部には、ボンネット１１で覆われたエンジン５が設けられており、ボンネット１１の上方に刈草を収納するコレクター１４が配置されている。
【００２７】
また、走行車体１の前部には、ステップフロア６が設けられており、ステップフロア６の上方には運転座席７が配置されている。運転座席７の前方には、ステアリングポスト８が設けられており、ステアリングポスト８の上部にはハンドル９が配置されている。
【００２８】
また、運転座席７の後方下部には、刈草をコレクター１４に空気搬送するためのブロアー１６を内装したブロアーケース１６ａが設けられており、更に、ブロアーケース１６ａとコレクター１４との間をつなぐダクト１７が設けられている。
【００２９】
そして、モーアユニット２の後部中央の刈草搬送筒用開口部１８０に接続された開口部継手１８１と、ブロアーケース１６ａの吸気口１６ｂとの間をつなぐ蛇腹状の刈草搬送筒１８が、側面視で後上がりに傾斜配置されている。
【００３０】
また、エンジン５からの駆動力は、自在継手１０を経て分配伝動軸２０に伝達されて、一部がブロアー伝動ケース２１を介してブロアー１６に伝達されて、他の一部が、走行動力等として分配されて前輪３と後輪４に伝達され、更に、その一部がモーア入力軸２２を介してモーアユニット２へ伝達され、左右一対のブレードを回転させる構成である。
【００３１】
これにより、集草作業時において、モーアユニット２内で刈り取られた刈草は、モーアユニット２の後部中央の開口部から刈草搬送筒１８を経てブロアーケース１６ａに搬送され、更に、ダクト１７を経てコレクター１４内に空気搬送される。
【００３２】
一方、マルチング作業時においては、作業者が、モーアユニット２に設けられた後述する切り換え機構を操作することにより、刈草搬送筒１８に連通する搬送経路が閉鎖されるべく構成されている。
【００３３】
これにより、モーアユニット２内で刈り取られた刈草は、刈草搬送筒１８側には搬送されないで、左右一対のブレード側に周回され、その後、モーアユニット２の下方に落下する。
【００３４】
次に、主として図２〜４を参照しながら本実施の形態の乗用型草刈機１００のモーアユニット２について更に説明する。
【００３５】
図２、図３に示す通り、モーアユニット２は、左右一対の回転軸２１１Ｌ、２１１Ｒに固定されて、回転しながら草を刈る左右一対のブレード２１０Ｌ、２１０Ｒと、これら左右一対のブレード２１０Ｌ、２１０Ｒを収納するための、底面側が開放された箱形状のモーアデッキ２００とを有している。また、モーアデッキ２００の後部の中央位置には、後方斜め上に向けて開口した刈草搬送筒用開口部１８０が設けられており、その刈草搬送筒用開口部１８０には、刈草搬送筒１８を接続するための開口部継手１８１が着脱自在に取り付けられている。
【００３６】
また、モーアデッキ２００は、１）左右一対のブレード２１０Ｌ、２１０Ｒの外端の回転軌跡に沿ってモーアデッキ２００の天面２００ｔａに設けられた、平面視で略ひょうたん状に中央部がくびれた左右対称の形状を有する第１ガイド２２０と、２）左右一対のブレード２１０Ｌ、２１０Ｒの外端の回転軌跡の内側において、左右一対のブレード２１０Ｌ、２１０Ｒの左右一対の回転軸２１１Ｌ、２１１Ｒをそれぞれ個別に取り囲む位置でモーアデッキ２００の天面２００ｔａに設けられた、平面視で略円形状を有する左右一対の第２ガイド２２１Ｌ、２２１Ｒと、３）モーアデッキ２００の平面視で左右一対のブレード２１０Ｌ、２１０Ｒの内の右側のブレード２１０Ｒが反時計方向に回転することにより刈り取られる刈草が搬送される、第１ガイド２２０と右側の第２ガイド２２１Ｒとの間に設けられた右側の第１搬送経路２３０Ｒと、４）モーアデッキ２００の平面視で左右一対のブレード２１０Ｌ、２１０Ｒの内の左側のブレード２１０Ｌが時計方向に回転することにより刈り取られる刈草が搬送される、第１ガイド２２０と左側の第２ガイド２２１Ｌとの間に設けられた左右一対の第１搬送経路２３０Ｌと、５）左右一対の第１搬送経路２３０Ｌ、２３０Ｒからそれぞれ搬送され、左側の第２ガイド２２１Ｌと右側の第２ガイド２２１Ｒとの間において合流する刈草が、刈草搬送筒用開口部１８０に向けて搬送される第２搬送経路２４０とを有している。
【００３７】
尚、本発明のデッキ部の一例が、本実施の形態のモーアデッキ２００に該当し、本発明のガイドの一例が、本実施の形態の第１ガイド２２０に該当する。
【００３８】
図２〜図４に示す通り、第２搬送経路２４０の前端部側２３１、即ち、左右一対の第１搬送経路２３０Ｌ、２３０Ｒから搬送されてくる刈草が合流する位置では、モーアデッキ２００の天面２００ｔａから第１ガイド２２０の下端部に至る空間において、左右一対の第１搬送経路２３０Ｌ、２３０Ｒと第２搬送経路２４０とは完全に連通している。
【００３９】
一方、図４に示す通り、第２搬送経路２４０の後端部側、即ち、第２搬送経路２４０の刈草搬送筒用開口部１８０の近傍では、左右一対の第１搬送経路２３０Ｌ、２３０Ｒにおいて刈草が搬送される向きを基準として上記合流する位置（図２の前端部側２３１に対応）を下流側としたときの、左右一対の第１搬送経路２３０Ｌ、２３０Ｒの上流側の上流端２３２Ｌ、２３２Ｒと、第２搬送経路２４０との境界部分において、左右一対の後端下側壁部２３３Ｌａ、２３３Ｒａが設けられている。この左右一対の後端下側壁部２３３Ｌａ、２３３Ｒａは、モーアデッキ２００の天面２００ｔａからの高さＨ１が、左右一対の第２ガイド２２１Ｌ、２２１Ｒの天面２００ｔａからの高さＨ２と同じであって第１ガイド２２０の天面２００ｔａからの高さＨ３より低く設定された、天面２００ｔａに取り付けられた左右一対の側壁２３３Ｌ、２３３Ｒの後端側の一部を構成する。
【００４０】
また、左右一対の側壁２３３Ｌ、２３３Ｒの上端側の一部は、モーアデッキ２００の天井部２００ｔから上方に突き出て、側面視で、前方から後方に向けて緩やかな登り勾配で傾斜した略三角形状をなし、集草作業時において第２搬送経路２４０の一部を構成することになる左右一対の後端上側壁部２３３Ｌｂ、２３３Ｒｂである。
【００４１】
尚、上述した通り、左右一対の後端下側壁部２３３Ｌａ、２３３Ｒａと、左右一対の後端上側壁部２３３Ｌｂ、２３３Ｒｂとは、それぞれ、左右一対の側壁２３３Ｌ、２３３Ｒの一部として一体的に形成された板状部材である。
【００４２】
また、モーアデッキ２００の天面２００ｔａに設けられた第１ガイド２２０の当該天面２００ｔａからの高さＨ３は、側面視でモーアデッキ２００の高さと概ね同じであるが、左右一対の第２ガイド２２１Ｌ、２２１Ｒの高さＨ２は、左右一対のブレード２１０Ｌ、２１０Ｒの回転時のスペースを確保する必要があるので、第１ガイド２２０の上記高さＨ３より低く設定されており、モーアデッキ２００の天面２００ｔａから下方に垂直に延びて、左右一対のブレード２１０Ｌ、２１０Ｒの上面の手前まで至る構成である。
【００４３】
これにより、集草作業時には、上記合流された刈草の大半が後方に搬送されるにつれて上昇しながら刈草搬送筒１８側に流れていくので（図４の矢印Ｅ参照）、後端下側壁部２３３Ｌａ、２３３Ｒａの高さＨ１が、モーアデッキ２００の下端にまで達していなくても、刈草が左右一対の第１搬送経路２３０Ｌ、２３０Ｒの上流側に周回されることを概ね阻止し、第２搬送経路２４０から刈草をスムーズに刈草搬送筒１８側に搬送することが出来る。
【００４４】
一方、マルチング作業時には、作業者が、後述する切り換え機構を操作することにより、上記合流された刈草は、左右一対の後端下側壁部２３３Ｌａ、２３３Ｒａの下端部２３３Ｌａ１、２３３Ｒａ１の下方に設けられた隙間を通って、左右一対の第１搬送経路２３０Ｌ、２３０Ｒの上流側に周回される（図２参照、図４の矢印Ｇ参照）。
【００４５】
次に、主として図４〜図６を用いて、上述した通り、切り換え機構の構成を中心に説明する。
【００４６】
ここで、図５（ａ）は、集草作業時における切り換え機構について、モーアデッキ２００の右側を後方から視た状態を示す斜視図であり、図５（ｂ）は、マルチング作業時における切り換え機構について、モーアデッキ２００の右側を後方から視た状態を示す斜視図である。図６（ａ）は、集草作業時における切り換え機構について、モーアデッキ２００の左側の底面側を前方から後方に視た状態を示す斜視図であり、図６（ｂ）は、マルチング作業時における切り換え機構について、モーアデッキ２００の左側の底面側を前方から後方に視た状態を示す斜視図である。
【００４７】
図４に示す通り、切り換え機構３００は、１）モーアデッキ２００の天井部２００ｔに回動可能に取り付けられた、板状部材であって前後方向に長い長方形状の閉鎖部材本体３１０と、２）その閉鎖部材本体３１０の先端部に回動可能に取り付けられた、板状部材であって左右方向に長い長方形状の閉鎖部材先端部３２０を有し、更に、閉鎖部材先端部３２０の裏面３２０ａには、マルチング作業時において、刈草の流れを平面視で左右方向に振り分けて左右一対の第１搬送経路２３０Ｌ、２３０Ｒの上流側へ案内する案内部材３３０が形成されている。
【００４８】
ここで、閉鎖部材本体３１０は、第１蝶番３４０を介してモーアデッキ２００の天井部２００ｔに取り付けられて、図４に示す矢印Ｉ方向への回動が可能で、且つ、実線で示した最上位の位置（集草作業モードの位置）、及び二点鎖線で示した最下位の位置（マルチング作業モードの位置）でそれぞれ固定可能に構成されている。
【００４９】
また、閉鎖部材先端部３２０は、第２蝶番３５０を介して閉鎖部材本体３１０の先端部に取り付けられて、図４に示す矢印Ｊ方向への回動が可能で、且つ、実線で示した折り畳まれた状態の位置（集草作業時の退避位置）、及び二点鎖線で示した展開された位置（マルチング作業モードの位置）でそれぞれ固定可能に構成されている。
【００５０】
尚、本発明の閉鎖部材の一例が、本実施の形態の閉鎖部材本体３１０と閉鎖部材先端部３２０とを含む構成に該当する。
【００５１】
また、案内部材３３０は、１）上述した集草作業時の退避位置にある時は（図２、図４参照）、平面視で、左右中央位置の第１頂部３３０ａが後方側に突き出しており、且つ、左右中央位置から左右両側に遠ざかるに従って前方側に向かう山形形状に湾曲した第１湾曲面３３０ｂを有する板状突起部材であり、また、２）マルチング作業モードの位置にある時は、平面視で、第１頂部３３０ａが前方側に突き出しており、上述した第１湾曲面３３０ｂの両端は、図２、図６（ｂ）に示す通り、刈草搬送筒用開口部１８０に隣接した第１ガイド２２０の後部左側端部の左側湾曲面２２０Ｌａと、第１ガイド２２０の後部右側端部の右側湾曲面２２０Ｒａに対応して、平面視で概ね滑らかに連接されるべく構成されている。
【００５２】
また、第２搬送経路２４０と刈草搬送筒用開口部１８０との連接部分には、平面視で、第２頂部３６０ａが前方側に突き出しており、且つ、左右中央位置から左右両側に遠ざかるに従って後方側に向かう山形形状に湾曲した第２湾曲面３６０ｂを前側の側壁面として有し（図２、図４参照）、側面視で、第２搬送経路２４０側から刈草搬送筒用開口部１８０側に向けて上り勾配である傾斜面３６０ｃ（図４参照）を有する連接部材３６０が設けられている。この傾斜面３６０ｃは、集草作業時において、後方に向けて上昇配置されている刈草搬送筒１８側に刈草をスムーズに搬送する為に設けられている。
【００５３】
尚、第２湾曲面３６０ｂは、平面視で、上述した案内部材３３０の第１湾曲面３３０ｂと概ね同形状である。そして、案内部材３３０がマルチング作業モードの位置にある時は、案内部材３３０は、その下端縁部３３０ｃが、連接部材３６０の第２湾曲面３６０ｂに沿って、連接部材３６０の傾斜面３６０ｃとの間に隙間が生じること無く配置される構成である（図４、図６（ｂ）参照）。
【００５４】
また、閉鎖部材本体３１０の第１左右両端縁部３１０ｓと、その先端部において展開された閉鎖部材先端部３２０の第２左右両端縁部３２０ｓは、マルチング作業モードの位置にある時、左右一対の側壁２３３Ｌ、２３３Ｒの内壁面２３３Ｌｕ、２３３Ｒｕ（図５、図６参照）との間で、回動可能となる程度の最小限の間隔を保った状態で近接配置されている。
【００５５】
以上の構成により、切り換え機構３００がマルチング作業モードの位置に切り替えられた時は、閉鎖部材本体３１０の第１左右両端縁部３１０ｓと、その先端部において展開された閉鎖部材先端部３２０の第２左右両端縁部３２０ｓは、マルチング作業モードの位置にある時、左右一対の側壁２３３Ｌ、２３３Ｒの内壁面２３３Ｌｕ、２３３Ｒｕ（図５、図６参照）との間で、大きな隙間が生じることなく近接配置されているので、刈草がその隙間から上方へ漏れ出すことは実質上無い。
【００５６】
また、案内部材３３０がマルチング作業モードの位置にある時は、上述した通り、案内部材３３０は、その下端縁部３３０ｃが、連接部材３６０の第２湾曲面３６０ｂに沿って、連接部材３６０の傾斜面３６０ｃとの間に隙間が生じること無く配置されるので（図４、図６（ｂ）参照）、刈草が後方へ漏れ出すことは実質上無い。
【００５７】
次に、再び図１〜図３に戻り、モーアデッキ２００の他の部分の構成について説明する。
【００５８】
モーア入力軸２２（図１参照）により伝達される駆動力は、動力伝達機構２５０を介して、左右一対の回転軸２１１Ｌ、２１１Ｒ（図２参照）に伝達されて、左右一対のブレード２１０Ｌ、２１０Ｒを回転させる構成である。
【００５９】
上記の通り、左右一対の第１搬送経路２３０Ｌ、２３０Ｒと、第２搬送経路２４０を備え、左側のブレード２１０Ｌの回転方向を平面視で時計方向とし、右側のブレード２１０Ｒの回転方向を平面視で反時計方向としたことにより、刈草の搬送・排出がよりスムーズに行えるという効果を発揮する。
【００６０】
尚、左右一対の第２ガイド２２１Ｌ、２２１Ｒは、通常の工具で取り外し可能に固定されているので、作業者は、草の条件に合わせて、左右一対の第２ガイド２２１Ｌ、２２１Ｒを取り外すことが可能である。
【００６１】
また、モーアデッキ２００内の左側の第１搬送経路２３０Ｌの天面の一部は、モーアデッキ２００の天面２００ｔａの下方に設けられた左側の傾斜天井２３４Ｌにより構成されており、この左側の傾斜天井２３４Ｌによって、左側の第１搬送経路２３０Ｌ内において刈草が搬送される向きを基準として、上流端２３２Ｌ側から下流側に向けて、第１の範囲２３４Ｌａにおいて左側の第１搬送経路２３０Ｌの天面が、モーアデッキ２００の最下端面２０５を基準として緩やかに高くなっている。
【００６２】
また、モーアデッキ２００内の右側の第１搬送経路２３０Ｒの天面の一部は、モーアデッキ２００の天面２００ｔａの下方に設けられた右側の傾斜天井２３４Ｒにより構成されており、この右側の傾斜天井２３４Ｒによって、右側の第１搬送経路２３０Ｒ内において刈草が搬送される向きを基準として、上流端２３２Ｒ側から下流側に向けて、第２の範囲２３４Ｒａにおいて右側の第１搬送経路２３０Ｒの天面が、モーアデッキ２００の最下端面２０５を基準として緩やかに高くなっている。
【００６３】
尚、左右一対の傾斜天井２３４Ｌ、２３４Ｒのスタート地点である上流端２３２Ｌ、２３２Ｒ（図２参照）での、モーアデッキ２００の最下端面２０５を基準とした高さｈ１（図３参照）は、左右一対の第２ガイド２２１Ｌ、２２１Ｒの下端縁部２２１Ｌａ、２２１Ｒａの位置（図３参照）と同じである（図４の高さＨ１、Ｈ２に対応）。
【００６４】
これにより、左右一対の第１搬送経路２３０Ｌ、２３０Ｒのそれぞれの天面が、上流側から下流側に向かうに従って、モーアデッキ２００の最下端面２０５を基準として、所定範囲内において緩やかに高くなっているので、刈草の搬送・排出が更にスムーズに行える。
【００６５】
また、モーアデッキ２００の天面２００ｔａには、刈草の搬送を円滑に行うための空気取り入れ口として、左右一対の回転軸２１１Ｌ、２１１Ｒを中心として放射状に長穴形状の吸風口２０１が設けられている。
【００６６】
これにより、吸気がスムーズに行われて刈草がより円滑に搬送される。
【００６７】
次に、主として図４〜図６を参照しながら、上述した切り換え機構３００の動作を中心に説明する。
【００６８】
１）まず、集草作業について説明する。
【００６９】
閉鎖部材本体３１０は、図４において実線で示された位置、即ち、側面視で、左右一対の後端上側壁部２３３Ｌｂ、２３３Ｒｂの、前方から後方に向けて緩やかな登り勾配で傾斜した略三角形状の斜辺に沿った位置に固定されており、閉鎖部材先端部３２０は、閉鎖部材本体３１０の上面側に折り畳まれて、その裏面３２０ａに形成された案内部材３３０は、第２搬送経路２４０内での刈草の流れを阻害しない退避位置にある（図５（ａ）、図６（ａ）参照）。
【００７０】
切り換え機構３００が上記の位置に配置されて、図４に示す通り、刈草搬送筒用開口部１８０には開口部継手１８１が連結固定され、更にその先端側に刈草搬送筒１８が連結固定されている。
【００７１】
上記状況の下で、作業者が、モーアユニット２を作動させて集草作業を開始すると、左右一対のブレード２１０Ｌ、２１０Ｒにより刈り取られた刈草は、左右一対の第１搬送経路２３０Ｌ、２３０Ｒ内を、それぞれ搬送されて、第２搬送経路２４０の前端部側２３１で合流し、第２搬送経路２４０内を後方に搬送されるにつれて上昇しながら、刈草搬送筒用開口部１８０を通過して、刈草搬送筒１８側に搬送され（図４の矢印Ｅ参照）、ブロアー１６によりコレクター１４に集草される。
【００７２】
２）次に、マルチング作業について説明する。
【００７３】
まず、作業者は、刈草搬送筒用開口部１８０から開口部継手１８１を取り外す。
【００７４】
そして、作業者は、閉鎖部材先端部３２０を手動で、図４の側面図において時計回り（図４の矢印Ｊ参照）に所定位置まで回動させて展開し、案内部材３３０を下方に向かせた状態で固定部材（図示省略）により固定して、更に、閉鎖部材本体３１０を手動で、図４の側面図において時計回り（図４の矢印Ｉ参照）に回動させて、案内部材３３０の下端縁部３３０ｃが連接部材３６０の傾斜面３６０ｃの周辺部に当たるまで下方へ移動させて、固定部材（図示省略）により固定する。
【００７５】
上記切り換え作業の後、作業者は、モーアユニット２を作動させてマルチング作業を開始すると、左右一対のブレード２１０Ｌ、２１０Ｒにより刈り取られた刈草は、左右一対の第１搬送経路２３０Ｌ、２３０Ｒ内を、それぞれ搬送されて、第２搬送経路２４０の前端部側２３１で合流し、第２搬送経路２４０内を、図４に示す二点鎖線で示した位置に移動して固定されている閉鎖部材本体３１０の下面に沿って後方に進むにつれて徐々に下降して（図４の矢印Ｎ参照）、案内部材３３０の第１頂部３３０ａ及び連接部材３６０の第２頂部３６０ａに当たって左右方向に振り分けられて（図４の矢印Ｇ参照）、再び、左右一対の第１搬送経路２３０Ｌ、２３０Ｒに周回される。そして、何度か刈草の周回が繰り返された後、細かく裁断された刈草がモーアユニット２の下方に落下する。
【００７６】
これにより、作業者は、集草作業モード（リアコレクトリアディスチャージモード）から、マルチング作業モードに簡単に切り替えることが出来て、しかも、刈草を左右一対の第１搬送経路２３０Ｌ、２３０Ｒに円滑に搬送することが出来る。
【００７７】
次に、主として図６（ａ）、図７（ａ）、図７（ｂ）を参照しながら、草の刈り残しを低減するための工夫について説明する。
【００７８】
図７（ａ）は、本実施の形態のモーアユニット２の概略平面図であり、図７（ｂ）は、図７（ａ）に示すモーアユニット２の概略背面図である。尚、図７では、左右一対のブレード２１０Ｌ、２１０Ｒや、左右一対の第２ガイド２２１Ｌ、２２１Ｒなどの図示は省略した。
【００７９】
図６（ａ）〜図７（ｂ）に示す通り、第１ガイド２２０の第１ガイド左側最前部２２０Ｌ１から第１ガイド左側周端部２２０Ｌ２に向かうに従って、第１ガイド２２０の天面２００ｔａから下方に向けて突出している高さが徐々に低くなっている。ここで、第１ガイド左側最前部２２０Ｌ１における天面２００ｔａからの高さをＫ１とし、第１ガイド左側周端部２２０Ｌ２における天面２００ｔａからの高さをＫ３とする（図７（ｂ）参照）。
【００８０】
また、第１ガイド２２０の第１ガイド左側最前部２２０Ｌ１から第１ガイド前側中央部２２３に向かうに従って、第１ガイド２２０の天面２００ｔａから下方に向けて突出している高さが徐々に低くなっている。ここで、第１ガイド前側中央部２２３近傍の高さをＫ２とする（図７（ｂ）参照）。
【００８１】
第１ガイド２２０の右側における、天面２００ｔａからの高さについても上記と同様である。
【００８２】
即ち、第１ガイド２２０の第１ガイド右側最前部２２０Ｒ１から第１ガイド右側周端部２２０Ｒ２に向かうに従って、第１ガイド２２０の天面２００ｔａから下方に向けて突出している高さが徐々に低くなっている。ここで、第１ガイド右側最前部２２０Ｒ１における天面２００ｔａからの高さをＫ１とし、第１ガイド右側周端部２２０Ｒ２における天面２００ｔａからの高さをＫ３とする（図７（ｂ）参照）。
【００８３】
また、第１ガイド２２０の第１ガイド右側最前部２２０Ｒ１から第１ガイド前側中央部２２３に向かうに従って、第１ガイド２２０の天面２００ｔａから下方に向けて突出している高さが徐々に低くなっている。ここで、第１ガイド前側中央部２２３近傍における天面２００ｔａからの高さをＫ２とする（図７（ｂ）参照）。
【００８４】
また、第１ガイド前側中央部２２３においては、天面２００ｔａからの高さＫＣが、その両端側の近傍の高さＫ２に比べて急に低くなる段差が設けられている（図７（ｂ）参照）。
【００８５】
第１ガイド２２０の上記各部における、天面２００ｔａからの高さの大小関係は、ＫＣ＜Ｋ３＜Ｋ２＜Ｋ１で表せる。
【００８６】
また、一例として、Ｋ１−Ｋ２＝１０ｍｍであり、Ｋ１−Ｋ３＝２０ｍｍである。
【００８７】
以上の構成により、従来のモーアユニットの構成では、刈り残しが最も発生し易い場所であるとされていた第１ガイド前側中央部２２３、及び、その他の、刈り残しが発生し易い場所であるとされていた、第１ガイド左側周端部２２０Ｌ２及び第１ガイド右側周端部２２０Ｒ２における刈り残しが、従来に比べて低減出来る。
【００８８】
次に、草の刈り残しを低減するその他の構成を中心に、更に説明する。
【００８９】
図２に示す通り、モーアデッキ２００の前方の左右位置には高さ調節が可能な左右一対のゲージ輪２０２Ｌ、２０２Ｒが設けられており、モーアデッキ２００の左右方向を基準とした中央部の前端部近傍には回転可能に前接地ローラ２０３が設けられており、モーアデッキ２００の後端部の左右位置には回転可能に左右一対の後接地ローラ２０４Ｌ、２０４Ｒが設けられている。
【００９０】
また、前接地ローラ２０３をモーアデッキ２００に回転可能に取り付けるための左右一対の取り付け部材２０３Ｌ、２０３Ｒを備えており、左右一対の取り付け部材２０３Ｌ、２０３Ｒは、モーアデッキ２００の前端部中央位置において、前後方向に沿って配置され、前接地ローラ２０３を回転自在に保持する左右一対の前側部２０３Ｌａ、２０３Ｒａと、それら左右一対の前側部２０３Ｌａ、２０３Ｒａから後方に向かうに従って左右外側に向かうべく屈曲された左右一対の後側部２０３Ｌｂ、２０３Ｒｂとから構成されている。
【００９１】
左右一対の取り付け部材２０３Ｌ、２０３Ｒの上記屈曲した構成により、モーアデッキ２００の前面の中央付近から入り込んできた草は左右一対の後側部２０３Ｌｂ、２０３Ｒｂにより中央位置から左右方向の後方（図２の矢印Ａ、Ｂ参照）に案内されるので、その草が第１ガイド２２０の外周面に沿って第１ガイド前側中央部２２３に集まることを防止し、草の刈り残しを低減することが出来る。
【００９２】
尚、第１ガイド前側中央部２２３に案内された草がたとえあったとしても、図７（ａ）、（ｂ）で説明した通り、第１ガイド前側中央部２２３において、天面２００ｔａからの高さが急に低くなっている（図７（ｂ）の高さＫＣ参照）ので、刈り残しは低減される。
【００９３】
また、モーアデッキ２００の左側壁の内面２２４Ｌと、第１ガイド２２０の左側壁の外面２２０Ｌとの間には、左側の案内板２２５Ｌが双方の壁面と溶接により固定されており、第１ガイド２２０の左側壁の外面２２０Ｌと左側の案内板２２５Ｌとが平面視で略Ｖ字形状をなすべく、左側の案内板２２５Ｌの面方向が左側の回転軸２１１Ｌ側に向けられている。
【００９４】
また、モーアデッキ２００の右側壁の内面２２４Ｒと、第１ガイド２２０の右側壁の外面２２０Ｒとの間には、右側の案内板２２５Ｒが双方の壁面と溶接により固定されており、第１ガイド２２０の右側壁の外面２２０Ｒと右側の案内板２２５Ｒとが平面視で略Ｖ字形状をなすべく、右側の案内板２２５Ｒの面方向が右側の回転軸２１１Ｒ側に向けられている。
【００９５】
また、これら左右一対の案内板２２５Ｌ、２２５Ｒは、モーアデッキ２００の天面２００ｔａとも溶接により固定されており、その天面２００ｔａから下方に向かう高さは、第１ガイド２２０の高さと同等である。
【００９６】
上述した通り、左右一対の案内板２２５Ｌ、２２５Ｒを設けることにより、モーアデッキ２００の左右側壁の内面２２４Ｌ、２２４Ｒと、第１ガイドの左右側壁の外面２２０Ｌ、２２０Ｒとの間に草が集まることを防止し、モーアデッキ２００の左右両端における刈り残しを低減することが出来る。
【００９７】
即ち、モーアデッキ２００の左右両端は刈り残しが出やすく、特に、平面視で左側のブレードが右回転で、右側のブレードが左回転のとき、それが顕著に表れるが、上記の通り、左右一対の案内板２２５Ｌ、２２５Ｒを設けることにより、矢印Ｃ、Ｄ（図２参照）に示す通りＶ字形状に沿って、草が第１ガイド２２０の内側に寄って、ブレード軌跡内に入ってくるので、刈り残しが低減出来る。
【００９８】
また、左右一対の案内板２２５Ｌ、２２５Ｒを設けることにより、第１ガイド２２０の補強も兼ねることが出来る。
【００９９】
次に、図７（ｂ）において、動力伝達機構２５０の一部である、左右一対のブレード２１０Ｌ、２１０Ｒの回転駆動用傘歯車２５１Ｌ、２５１Ｒを収納するギヤボックス２５２Ｌ、２５２Ｒの取り付け面（最下面）２５２Ｌｓ、２５２Ｒｓを、モーアデッキ２００の基準面（例えば、天面２００ｔａ）より下方側に設けた例を示す。
【０１００】
これにより、動力伝達機構２５０のモーアデッキ２００の上面から上方への出っ張り高さＭ（図７（ｂ）参照）を低減することが出来るので、非作業走行時や点検時において、モーアユニット２を、走行車体１側と干渉すること無く、従来の乗用型草刈機に比べて、更に上方にリフトアップさせることが可能となる。
【０１０１】
また、上記構成により、図７（ａ）、（ｂ）に示す通り、左右一対の回転軸２１１Ｌ、２１１Ｒを中心とした円形状の左右一対の立壁２５２Ｌａ、２５２Ｒａが形成されるので、図２で説明した左右一対の第２ガイド２２１Ｌ、２２１Ｒの代わりとしての機能も兼ねることが出来る。
【０１０２】
これにより、刈草をよりスムーズに搬送することが可能となる。
【０１０３】
次に、主として図８を用いて、モーアデッキ２００の後部中央に設けられた連接部材３６０と、その両側に立設した左右一対の側壁２３３Ｌ、２３３Ｒの内壁面２３３Ｌｕ、２３３Ｒｕとにより構成された左右一対の第１角部４００Ｌ、４００Ｒの形状について説明する。
【０１０４】
ここで、図８は、本実施の形態１のモーアデッキ２００の後部中央付近を前方から視た状態を示す概略斜視図である。尚、図８では、天井部２００ｔは図示を省略した。
【０１０５】
図８に示す例では、左右一対の第１角部４００Ｌ、４００Ｒの前方始点部４０１Ｌ、４０１Ｒから、後方終点部４０２Ｌ、４０２Ｒに至る間に形成された第１角部４００Ｌ、４００Ｒの表面は、前方始点部４０１Ｌ、４０１Ｒでは、背面視でＲ０とし、後方終点部４０２Ｌ、４０２Ｒでは、背面視でＲ６０（半径６０ｍｍの円弧）として、この間をＲ０〜Ｒ６０に自然変化させる滑らかな曲面構造の壁面である。
【０１０６】
これにより、左右一対のブレード２１０Ｌ、２１０Ｒやブロアー１６により発生される送風が、第１角部４００Ｌ、４００Ｒでよどんだり、風速が遅くなることを防止出来、刈草が詰まり難くすることが可能となる。
【０１０７】
次に、主として図９を用いて、モーアデッキ２００の後部中央に設けられた連接部材３６０と、その両側に立設した左右一対の側壁２３３Ｌ、２３３Ｒの内壁面２３３Ｌｕ、２３３Ｒｕとにより構成された左右一対の第２角部５００Ｌ、５００Ｒの形状について説明する。
【０１０８】
ここで、図９は、本実施の形態１のモーアデッキ２００の後部中央付近を前方から視た状態を示す概略斜視図である。尚、図９では、天井部２００ｔは図示を省略した。
【０１０９】
図９に示す例では、左右一対の第２角部５００Ｌ、５００Ｒの第２前方始点部５０１Ｌ、５０１Ｒから、第２後方終点部５０２Ｌ、５０２Ｒに至る間に形成された第２角部５００Ｌ、５００Ｒの表面は、第２前方始点部５０１Ｌ、５０１Ｒでは、背面視でＲ３０（半径３０ｍｍの円弧）とし、第２後方終点部５０２Ｌ、５０２Ｒでは、背面視でＲ６０（半径６０ｍｍの円弧）として、この間をＲ３０〜Ｒ６０に自然変化させる滑らかな曲面構造の壁面である。
【０１１０】
これにより、左右一対のブレード２１０Ｌ、２１０Ｒやブロアー１６により発生される送風が、第１角部４００Ｌ、４００Ｒでよどんだり、風速が遅くなることを防止出来、刈草が詰まり難くすることが可能となる。
【０１１１】
また、第２前方始点部５０１Ｌ、５０１Ｒの角に刈草が引っかかることが低減される。
【０１１２】
尚、上記実施の形態では、左右一対の第２ガイド２２１Ｌ、２２１Ｒを備えた構成について説明したが、これに限らず例えば、第２ガイド２２１Ｌ、２２１Ｒを備えていない構成であっても良い。要するに、左右一対のブレードの内の右側のブレードが平面視で反時計方向に回転し、左側のブレードが平面視で時計方向に回転することにより刈り取られる刈草が搬送される、ガイド（図２の第１ガイド２２０参照）に沿って設けられた左右一対の第１搬送経路（図２の左右一対の第１搬送経路２３０Ｌ、２３０Ｒ参照）と、左右一対の第１搬送経路から搬送され、合流する刈草が刈草搬送筒用開口部（図２の刈草搬送筒用開口部１８０参照）に向けて搬送される第２搬送経路（図２の第２搬送経路２４０参照）と、第２搬送経路と刈草搬送筒用開口部とを連通し刈草搬送筒（図３の刈草搬送筒１８参照）側へ刈草を搬送するか、または、第２搬送経路と刈草搬送筒用開口部との連通を閉鎖すると共に第１搬送経路へ刈草を周回させるかの何れかに切り換える切り換え機構（図４の切り換え機構３００参照）と、を有し、切り換え機構は、１）デッキ部の天井部に回動可能に配置され、下方に回動することにより、第２搬送経路と刈草搬送筒用開口部との連通を閉鎖する閉鎖部材（図４の閉鎖部材本体３１０、閉鎖部材先端部３２０参照）と、２）連通が閉鎖された際、第２搬送経路から搬送されてくる刈草を左右方向に振り分けて左右一対の第１搬送経路へ案内する、閉鎖部材の先端側に取り付けられた案内部材（図４の案内部材３３０参照）とを有する構成でありさえすれば良い。
【０１１３】
また、本発明の閉鎖部材の一例として、上記実施の形態では、閉鎖部材本体３１０と、その先端部に回動可能に設けられた閉鎖部材先端部３２０とを有する構成により実現する場合について説明したが、これに限らず例えば、閉鎖部材本体３１０と別部品であって、回動可能に連結された閉鎖部材先端部３２０では無く、閉鎖部材本体３１０と上記閉鎖部材先端部３２０が一体構成となっていて、その一体構成の先端部の下面側に直接に案内部材３３０が設けられている構成としても良い。この場合、集草作業モードにおいて、案内部材３３０を退避位置に折り畳むことは出来ないが、集草作業モードとマルチング作業モードの切り換えは容易に行えて、しかも、マルチング作業時において、刈草をより円滑に搬送出来る。
【０１１４】
また、本発明の案内部材は、上記実施の形態では、頂部が緩やかなカーブを描いて前方側に突き出した山形形状である構成について説明したが、これに限らず例えば、案内部材は、頂部が鋭くとがって前方に突き出した山形形状、換言すればアルファベットのＶ字形状であっても良い。
【０１１５】
また、上記実施の形態では、連接部材３６０の第２湾曲面３６０ｂは、平面視で、案内部材３３０の第１湾曲面３３０ｂと概ね同形状であるとして説明したが、これに限らず例えば、双方の湾曲面の形状は異なっていても良い。第２湾曲面３６０ｂは如何なる形状であっても良く、要するに、案内部材３３０が、第２搬送経路２４０から搬送されてくる刈草を左右方向に振り分けて左右一対の第１搬送経路２３０Ｌ、２３０Ｒへ案内する構成であれば良い。
【０１１６】
また、上記実施の形態では、モーアデッキ２００の天面２００ｔａの下方に左右一対の傾斜天井２３４Ｌ、２３４Ｒを設けた構成について説明したが、これに限らず例えば、傾斜天井を設けない構成でも良い。
【０１１７】
また、上記実施の形態では、前接地ローラ２０３をモーアデッキ２００に回転可能に取り付ける左右一対の取り付け部材２０３Ｌ、２０３Ｒの後部において、左右外側に向かうべく屈曲されている構成について説明したが、これに限らず例えば、屈曲されていない構成でも良い。
【０１１８】
上記実施の形態では、モーアデッキ２００と第１ガイド２２０との間において左右一対の案内板２２５Ｌ、２２５Ｒが溶接固定された構成について説明したが、これに限らず例えば、これらの案内板は無くても良い。
【０１１９】
また、上記実施の形態では、左右一対のブレード２１０Ｌ、２１０Ｒは、左右一対の回転軸２１１Ｌ、２１１Ｒにそれぞれしっかりと固定された構成について説明したが、これに限らず例えば、一対の左側のブレード（図示省略）が、回転軸２１１Ｌに固定された円形状のブレード取り付け用円盤（図示省略）に対して、左側の回転軸２１１Ｌを中心として互いに対向する位置において放射状にそれぞれ回動可能に取り付けられている構成でも良く、これと同時に、一対の右側のブレード（図示省略）が、右側の回転軸２１１Ｒに固定された円形状のブレード取り付け用円盤に対して、回転軸２１１Ｒを中心として互いに対向する位置において放射状にそれぞれ回動可能に取り付けられている構成でも良であっても良い。これにより、ブレード取り付け用円盤に対してブレードが回動可能に取り付けられていることで、通常の回転時には、ブレード取り付け円盤の両端部に取り付けられた一対のブレードのそれぞれは、遠心力により、一直線状になって回転する。一方、このブレードが障害物に当たった際、ブレードが回動して、衝突による衝撃が緩和されるので、ブレードが損傷を受け難くすることが出来る。また、一対のブレードをブレード取り付け円盤に取り付ける構成にしたので、各ブレードの長さを短く出来、一枚のブレードを直接、回転軸に固定する構成に比べて、ブレードの反りを低減することが出来る。
【産業上の利用可能性】
【０１２０】
本発明の草刈装置によれば、刈草をより円滑に搬送出来るモーアユニットを提供することが出来るという効果を発揮し、モーアユニットを走行車体の前側に連結した所謂フロントモーア型の乗用草刈機などとして有用である。
【符号の説明】
【０１２１】
１  走行車体
２  モーアユニット（草刈装置）
３  前輪
４  後輪
５  エンジン
６  ステップフロア
７  運転座席
８  ステアリングポスト
９  ハンドル
１０  自在継手
１１  ボンネット
１４  コレクター
１６  ブロアー
１６ａ  ブロアーケース
１７  ダクト
１８  刈草搬送筒
２０  分配伝動軸
２１  ブロアー伝動ケース
２２  モーア入力軸
２００  モーアデッキ
２０１  吸風口
２０２Ｌ  左側のゲージ輪
２０２Ｒ  右側のゲージ輪
２０３  前接地ローラ
２０４Ｌ  左側の後接地ローラ
２０４Ｒ  右側の後接地ローラ
２１０Ｌ  左側のブレード
２１０Ｒ  右側のブレード
２１１Ｌ  左側の回転軸
２１１Ｒ  右側の回転軸
２２０  第１ガイド
２２０Ｌ  第１ガイドの左側壁の外面
２２０Ｒ  第１ガイドの右側壁の外面
２２１Ｌ  左側の第２ガイド
２２１Ｒ  右側の第２ガイド
２２１Ｌａ  左側の第２ガイドの下端縁部
２２１Ｒａ  右側の第２ガイドの下端縁部
２２３  第１ガイド前側中央部
２２４Ｌ  左側壁の内面
２２４Ｒ  右側壁の内面
２２５Ｌ  左側の案内板
２２５Ｒ  右側の案内板
２３０Ｌ  左側の第１搬送経路
２３０Ｒ  右側の第１搬送経路
２３２Ｌ  左側の第１搬送経路の上流端
２３２Ｒ  右側の第１搬送経路の上流端
２３３Ｌ  左側の側壁
２３３Ｒ  右側の側壁
２３４Ｌ  左側の傾斜天井
２３４Ｒ  右側の傾斜天井
２４０  第２搬送経路
２５０  動力伝達機構
３００  切り換え機構
３１０  閉鎖部材本体
３２０  閉鎖部材先端部
３３０  案内部材
３４０  第１蝶番
３５０  第２蝶番
３６０  連接部材
【図１】
2014100124.tif 000003
【図２】
2014100124.tif 000004
【図３】
2014100124.tif 000005
【図４】
2014100124.tif 000006
【図５】
2014100124.tif 000007
【図６】
2014100124.tif 000008
【図７】
2014100124.tif 000009
【図８】
2014100124.tif 000010
【図９】
2014100124.tif 000011